(57)【要約】      （修正有）【課題】宝石又は金属装飾体を貫通した棒状体が両側枠に対し堅固な結合を実現するというシンプルな構成による指輪を提供する。【解決手段】弾性ばね２２を収容している外側パイプ２１に対し、後端側が弾性ばね２２に固着し、かつ弾性ばね２２の伸縮に伴って先端側が外側パイプ２１の両側にて突出及び突入自在の状態にて係合している両側腕２３を備えている棒状弾性留着具２、及び宝石又は金属装飾体１を内側に配置している両側枠３を設け、外側パイプ２１が宝石又は金属装飾体１を貫通し、かつ両側腕２３が両側枠３の内側に嵌入することを介して宝石又は金属装飾体１と結合していることによって前記課題を達成している指輪。【選択図】図２
0003226431.tif 000002
【実用新案登録請求の範囲】
【請求項１】
内側に弾性ばねを収容している外側パイプに対し、後端側が当該弾性ばねに固着し、かつ当該弾性ばねの伸縮に伴って先端側が前記外側パイプの両側にて突出及び突入自在の状態にて係合している両側腕を備えている棒状弾性留着具を設け、指輪本体から突設されている両側枠にそれぞれ嵌入孔を設け、前記棒状弾性留着具の前記外側パイプが前記両側枠の内側に配置されている宝石又は金属装飾体を貫通し、かつ前記両側枠の各嵌入孔に前記外側パイプから突出した前記両側腕が内側から嵌入することを介して前記宝石又は金属装飾体と結合している指輪。
【請求項２】
両側枠の先端が横方向バーを介して相互に結合していることを特徴とする請求項１記載の指輪。
【請求項３】
両側枠が曲げ弾性を有していることを特徴とする請求項１記載の指輪。
【考案の詳細な説明】
【技術分野】
【０００１】
本考案は、棒状弾性留着具によって宝石又は金属装飾体の結合を実現している指輪を対象としている。
【背景技術】
【０００２】
指輪のように身体に対する装着及び身体からの離脱が行われている装身具においては、弾性変形を利用した留着具によって指輪と宝石又は金属装飾体との結合が採用されている。
【０００３】
然るに、このような弾性変形の利用を伴う従来技術による結合構成は、必ずしも決してシンプルではなく、しかも結合状態は必ずしも堅固という訳ではない。
【０００４】
指輪に於ける取りつけ具を対象としている特許文献１においては、宝石を支持するために、指輪３の端部にて設けた台座１に対する受け盤４内の嵌挿盤２との間にスプリングワッシャー１１を介在することによって、台座１を受け盤４によって弾性的に固着することによって指輪３と宝石とを結合している（実用新案登録請求の範囲、第１図及び第４図）。
【０００５】
しかしながら、上記介在による構成は決してシンプルではなく、しかもスプリングワッシャー１１の弾性力による固着は決して堅固ではない。
【０００６】
宝石交換自在式指輪を対象とする特許文献２は、指輪本体Ｂの端部に設けている取付枠（取付座）８に対し、宝石２を支持している支軸３の後端における支持板（両舌付小円板）４を挿通孔（小円孔）９を介して挿入し、前記支軸３を取付枠８内にて回動した後に、当該支持板４を取付枠８における係合小孔１１から嵌入する係合ピン６及び取付枠８内に設置したばね１２によって前記支軸３を固着することによって指輪本体Ｂと宝石２とを結合している（実用新案登録請求の範囲、及び第１図、第２図、第３図）。
【０００７】
しかしながら、このような多数の構成要素による支持構成は決してシンプルではなく、しかも係合ピン６とばね１２との協働による固着は決して堅固ではない。
【０００８】
このように、弾性を利用した留着具による結合構成を採用している装身具に関する公知技術は多数存在するも、シンプルな構成によって指輪と宝石又は金属装飾体との堅固な結合を実現している留着具は見当たらない。
【先行技術文献】
【特許文献】
【０００９】
【特許文献１】実公昭４６−１３２６８号公報
【特許文献２】実開昭５３−８７号のマイクロフィルム
【考案の概要】
【考案が解決しようとする課題】
【００１０】
本考案は、宝石又は金属装飾体を貫通した棒状体が両側枠に対し堅固な結合を実現するというシンプルな構成による指輪を提供することを課題としている。
【課題を解決するための手段】
【００１１】
前記課題を解決するため、本考案の基本構成は、内側に弾性ばねを収容している外側パイプに対し、後端側が当該弾性ばねに固着し、かつ当該弾性ばねの伸縮に伴って先端側が前記外側パイプの両側にて突出及び突入自在の状態にて係合している両側腕を備えている棒状弾性留着具を設け、指輪本体から突設されている両側枠にそれぞれ嵌入孔を設け、前記棒状弾性留着具の前記外側パイプが前記両側枠の内側に配置されている宝石又は金属装飾体を貫通し、かつ前記両側枠の各嵌入孔に前記外側パイプから突出した前記両側腕が内側から嵌入することを介して前記宝石又は金属装飾体と結合している指輪からなる。
【考案の効果】
【００１２】
前記基本構成は、棒状弾性留着具を採用しているが、棒状弾性留着具の典型例は、腕時計において時計本体とバンドの幅方向との留着において採用されているスプリングバーである。
【００１３】
基本構成においては、このような棒状弾性留着具の宝石又は金属装飾体に対する貫通及び弾性変形に伴う伸縮というシンプルな構成によって、宝石又は金属装飾体を指輪本体に対し、着脱自在状態とした上で、指輪を指に嵌合している段階、又は指から離脱した段階の何れにおいても、宝石又は金属装飾体の指輪本体に対する堅固な結合を実現することができる。
【図面の簡単な説明】
【００１４】
【図１】基本構成を示す正面図であって（尚、宝石又は金属装飾体に対する正面の趣旨である。）、（ａ）は、両側枠の先端部が離れた状態にある実施形態を示しており、（ｂ）は、両側枠の端部が横方向バーを介して結合している実施形態を示す。  尚、（ａ）、（ｂ）は共に、弾性ばね及び嵌入孔の図示を省略する一方、両側腕の先端側が嵌入孔に突入する場合を示す。  但し、内側の矢印は、両側腕の先端側が外側パイプに突入する方向を示す。
【図２】棒状弾性留着具と両側枠との関係を示す側断面図であって、（ａ）は、両側腕の先端側が外側パイプから突出し、かつ両側枠の嵌入孔に嵌入した状態を示しており、（ｂ）は、両側腕の先端側が両側枠の嵌入孔から逸脱し、かつ外側パイプ内に突入した状態を示す。  尚、（ａ）は、両側腕の後端側に設けた孔に弾性ばねの先端が突入した場合を示し、（ｂ）は、両側腕の後端側と弾性ばねの先端側とを溶接する場合を示す。
【考案を実施するための形態】
【００１５】
基本構成は、棒状弾性留着具２における弾性力における伸縮作用に立脚している。
【００１６】
図２（ａ）、（ｂ）に示すように、棒状弾性留着具２は、内側に弾性ばね２２を収容している外側パイプ２１に対し、後端側が当該弾性ばね２２に固着し、かつ当該弾性ばね２２の伸縮に伴って先端側が前記外側パイプ２１の両側にて突出及び突入自在の状態にて係合している両側腕２３を備えている。
【００１７】
図２（ａ）に示すように、弾性ばね２２が本来の伸長した状態である場合には、両側腕２３の先端側は外側パイプ２１から突出し、しかも両側枠３の嵌入孔３０に嵌入している。
【００１８】
これに対し、図２（ｂ）に示すように、両側枠３の先端側は手指又は手動器具からの弾性ばね２２に対する反作用によって前記嵌入孔３０から離脱し、かつ外側パイプ２１内に押圧した場合には、棒状弾性留着具２は両側枠３から取り外され、かつ外側パイプ２１内に突入することができる。
【００１９】
尚、両側腕２３の後端側と弾性ばね２２との固着は、溶接、弾性ばね２２の当該後端側に対する堅固な巻着、または当該後端側に設けた穴に対する弾性ばね２２の先端部分の突入などによって実現することができ、当該固着については当業者が任意に選択することができる。
【００２０】
図２（ａ）、（ｂ）においては、両側枠３の嵌入孔３０が内側のみに形成され、その結果、両側腕２３は嵌入孔３０から外側に突出し得ない設計を示すが、嵌入孔３０を内側及び外側の双方に連通し、かつ両側腕２３が嵌入孔３０から外側に突出する構成も採用可能である。
【００２１】
基本構成は、棒状弾性留着具２における弾性ばね２２、更には両側腕２３の伸縮というシンプルな構成によって、宝石又は金属装飾体１を貫通した外側パイプ２１における両側腕２３の両側枠３の嵌入孔３０に対する嵌入を介して、両側枠３に対する堅固な留着による結合を実現している。
【００２２】
基本構成においては、図１（ａ）、（ｂ）に示すように、棒状弾性留着具２の外側パイプ２１が両側枠３の内側に配置されている宝石又は金属装飾体１を貫通し、かつ前記両側枠３の各嵌入孔３０に前記外側パイプ２１から突出した両側腕２３が内側から嵌入しており、前記貫通及び前記嵌入の結果、宝石又は金属装飾体１は指輪４本体との結合を実現している。
【００２３】
基本構成の両側枠３は指輪４から離脱されており、底部を備える必要はない。
【００２４】
但し、指輪４の外側に底部を備えた両側枠３をも採用可能である。
【００２５】
図１（ａ）は、両側枠３の先端が相互に離れた状態であるシンプルな設計による実施形態を示しており、図１（ｂ）は、両側枠３の先端が横方向バー３１を介して相互に結合することに基づき極めて堅固な設計による実施形態を示す。
【００２６】
基本構成は、図１（ａ）に示す実施形態及び図１（ｂ）に示す実施形態の何れにおいても、両側腕２３の両側枠３に設けた嵌入孔３０に対する嵌入及び当該嵌入からの離脱によって、宝石又は金属装飾体１の指輪４本体との結合状態及び当該結合からの離脱状態の双方を実現することができる。
【００２７】
尚、基本構成においては、通常図１（ａ）に示すように、外側パイプ２１は１個の宝石又は金属装飾体１を貫通するが、図１（ｂ）に示すように、複数個（大抵の場合は精々２個）の宝石又は金属装飾体１を貫通することも可能である。
【００２８】
以下、実施例にしたがって説明する。
【実施例】
【００２９】
実施例は、基本構成において、両側枠３が曲げ弾性を有していることを特徴としている。
【００３０】
上記曲げ弾性によって、宝石又は金属装飾体１を貫通した外側パイプ２１から突出した両側腕２３を両側枠３の嵌入孔３０に嵌入する際、手指によって、両側枠３を外側に移動させることによって、ユーザーは容易に前記嵌入を実現することができる。
【産業上の利用可能性】
【００３１】
このように、本考案は、弾性ばねの伸縮性を利用した棒状弾性留着具の両側腕の両側枠に対する嵌入というシンプルな構成によって、両側枠と宝石又は金属装飾体との堅固な結合を実現しており、その利用範囲は絶大である。
【符号の説明】
【００３２】
１    宝石又は金属装飾体
２    棒状弾性留着具  
２１  外側パイプ
２２  弾性ばね
２３  両側腕
３    両側枠
３０  嵌入孔
３１  横方向バー
４    指輪
【図１】
0003226431.tif 000003
【図２】
0003226431.tif 000004